(57)【要約】【課題】１本の同軸ケーブルを介して４個の混合信号を伝送する。【解決手段】監視制御システムは第１の送受信ユニット（１０）及び第２の送受信ユニット（３０）を含んでいる。第２の送受信ユニットは、それに接続された複数の入力装置（４１）及び出力装置（４０）を有し、同軸ケーブル（２０）を介して第１の送受信ユニットに接続されている。第１の送受信ユニットは、それに接続された複数の入力装置（１１）及び出力装置（１２）を有している。搬送波信号は高解像度ビデオ信号、音声信号、制御信号及びパワー信号を含み、これは当該搬送波信号の異なる周波数帯域を占有し、当該搬送波信号は周波数多重化され、全二重モードで同軸ケーブルを介して同時伝送し、監視制御システムの構造上の利便性及び構築低コスト化を図ることができる。【選択図】図２
2018088653.tif 000002
【特許請求の範囲】
【請求項１】
１本の同軸ケーブルを介し４個の混合信号を伝送する監視制御システムであって、
複数の第１の入力装置及び複数の第１の出力装置に接続される第１の送受信ユニットと、
同軸ケーブルを介し全二重モードで搬送波信号上に異なる周波数帯域を占有する複数のデジタル信号及びパワー信号を含む当該搬送波信号を伝送する当該同軸ケーブルとを備え、前記搬送波信号は前記第１の送受信ユニットによって伝送される第１の搬送波信号及び第２の搬送波信号を含んでおり、前記同軸ケーブルは、
前記第１の送受信ユニットに接続される第１の端末と、
第２の端末とを有し、
前記同軸ケーブルの前記第２の端末、複数の第２の入力装置及び複数の第２の出力装置に接続されて選択的に前記デジタル信号を周波数多重化し、前記パワー信号を前記第２の搬送波信号に投入する第２の送受信ユニットを備え、
前記第１の送受信ユニットにより周波数多重化される高解像度ビデオ信号、音声信号及び制御信号を含む前記第１の搬送波信号を受信するとき、前記第２の送受信ユニットは信号ダウンロードを行なって前記第１の搬送波信号における前記高解像度ビデオ信号、前記音声信号及び前記制御信号を周波数逆多重化し、デコードし、前記高解像度ビデオ信号、前記音声信号及び前記制御信号を対応する第２の出力装置に提供し、
音声信号、制御信号及びパワー信号を含む前記第２の搬送波信号を受信するとき、前記第１の送受信ユニットは最初にパワー信号を抽出し、次に前記第２の搬送波信号を周波数逆多重化し、デコードし、前記第２の搬送波信号における前記音声信号及び前記制御信号を取得し、前記第２の搬送波信号における前記音声信号、前記制御信号及び前記パワー信号を対応する第１の出力装置に提供することを特徴とする監視制御システム。
【請求項２】
対応する第２の入力装置から音声信号、制御信号及びパワー信号を受信するとき、前記第２の送受信ユニットは信号アップロードモードを実行し、前記音声信号及び前記制御信号を周波数多重化し、前記パワー信号を前記第２の搬送波信号内に投入し、前記第２の搬送波信号を前記同軸ケーブルを介して前記第１の送受信ユニットに伝送し、
前記第２の搬送波信号を受信した後、前記第１の送受信ユニットは最初に前記第２の搬送波から前記パワー信号を抽出し、次に前記第２の搬送波信号を周波数逆多重化し、前記音声信号及び前記制御信号を取得し、次に対応する第１の出力装置に前記音声信号及び前記制御信号を提供し、電力を供給することを特徴とする請求項１記載の監視制御システム。
【請求項３】
前記第２の送受信ユニットは、
前記同軸ケーブルの前記第２の端末に接続される第１の接続ポートと、
前記第２の出力装置及び前記第２の入力装置に接続される第２の接続ポートと、
前記第１の接続ポート及び前記第２の接続ポートに接続されるＡＶ（音声・ビデオ）処理モジュールと、
前記第１の接続ポート、前記ＡＶ処理モジュール及び第２の接続ポートに接続され、前記信号ダウンロードモード及び前記信号アップロードモードを実行するマイクロコントローラユニット（ＭＣＵ）と、
前記第１の接続ポート及び前記第２の接続ポートに接続されるパワーモジュールとを有することを特徴とする請求項２記載の監視制御システム。
【請求項４】
前記ＡＶ処理モジュールは、
前記第１の接続ポート及び前記ＭＣＵに接続されるイコライザと、
前記第２の接続ポートに接続される画像プロセッサ及び音声デコーダと、
前記イコライザ、画像プロセッサ及び前記音声デコーダに接続されるビデオデコーダとを有することを特徴とする請求項３記載の監視制御システム。
【請求項５】
前記第１の送受信ユニットは、
前記同軸ケーブルの前記第１の端末に接続される伝送端末と、
第１の出力ユニットと、
フィルタとを有し、前記フィルタは、
前記第１の送受信ユニットの前記伝送端末に接続される入力端子と、
前記第１の出力ユニットに接続される前記フィルタの出力端子とを有し、
前記第２の送受信ユニットは、
前記同軸ケーブルの前記第２の端末に接続される受信端末と、
第１の入力ユニットと、
前記信号アップロードモードを実行し、前記第２の搬送波信号を前記音声信号、前記制御信号及び前記パワー信号で変調し、前記第２の搬送波信号を前記同軸ケーブルを介して前記第１の送受信ユニットに伝送する変調ユニットとを有し、前記変調ユニットは、
前記第１の入力ユニットに接続される入力端子と、
前記第２の送受信ユニットの前記受信端末に接続される前記変調ユニットの出力端子とを有することを特徴とする請求項１記載の監視制御システム。
【請求項６】
前記第１の入力ユニットはＰｅｌｃｏ  Ｄ／Ｐプロトコルに準拠したジェネレータ及び音声増幅器の１つであり、前記第１の出力ユニットはＰｅｌｃｏ  Ｄ／Ｐプロトコルに準拠したドライバ及び音声復調器の１つであることを特徴とする請求項５記載の監視制御システム。
【請求項７】
前記変調ユニットは第１のローパスフィルタであり、前記フィルタは第２のローパスフィルタであり、前記第１の入力ユニットは電圧レギュレータであり、前記第１の出力ユニットはコンバータであることを特徴とする請求項６記載の監視制御システム。
【請求項８】
前記第１の送受信ユニットは、
デジタル信号ジェネレータ及びアナログ・デジタルコンバータ（ＡＤＣ）エンコーダの１つである第２の入力ユニットと、
伝送端末とを有し、
第２の送受信ユニットは、
前記第１の送受信ユニットの前記伝送端末に接続され、前記高解像度のビデオ信号、前記音声信号及び前記制御信号を変調し、前記高解像度のビデオ信号、前記音声信号及び前記制御信号を前記第１の搬送波に印加し、Ｐｅｌｃｏ  Ｄ／Ｐプロトコルに準拠したドライバ及びデジタル・アナログコンバータ（ＤＡＣ）デコーダの１つである第２の出力ユニットと、
第２の出力手段まず送受信ユニットの伝送側することは、音声信号及び制御信号は、前記高解像度のビデオ信号、前記音声信号及び前記制御信号を追加します信号及びす。
前記第２の出力ユニットに接続される受信端末とを有することを特徴とする請求項１記載の監視制御システム。
【請求項９】
前記高解像度ビデオ信号のための伝送インタフェースは高解像度コンポジットビデオインタフェース（ＨＤＣＶＩ）、高解像度伝送ビデオインタフェース（ＨＤＴＶＩ）及びアナログ高解像度規格（ＡＨＤ）を含んでおり、前記同軸ケーブルの信号インタフェースはＥＸ−ＳＤＩ（拡張シリアル・デジタル・インタフェース）を含んでおり、前記制御信号はＣｏＣ（ケーブル制御）信号を含んでおり、前記パワー信号はＰｏＣ（ケーブルパワー）を含んでいることを特徴とする請求項１記載の監視制御システム。
【請求項１０】
前記高解像度ビデオ信号のための伝送インタフェースはＨＤＣＶＩ、ＨＤＴＶＩ及びＡＨＤを含んでおり、前記同軸ケーブルの信号インタフェースはＥＸ−ＳＤＩを含んでおり、前記制御信号はＣｏＣ信号を含んでおり、前記パワー信号はＰｏＣ信号を含んでいることを特徴とする請求項１乃至請求項９何れか１項記載の監視制御システム。
【発明の詳細な説明】
【技術分野】
【０００１】
本発明は、監視制御システムに係り、特に１本の同軸ケーブルを介し４個の混合信号を伝送する監視制御システムに関する。
【背景技術】
【０００２】
監視制御システムの現在の市場は、その主流としては重点的に取り組まれている高解像度アナログ監視制御システムに向かっている。所謂「高解像度」とは７２０ピクセル以上の最小解像度をもつビデオフォーマットを意味する。３種類の高解像度技術、即ち高解像度コンポジットビデオインタフェース（HDCVI）、高解像度伝送ビデオインタフェース（HDTVI）、アナログ高解像度規格（AHD）は高解像度アナログ監視制御システムのあいだで普及している。
【０００３】
ユーザーの視点からは、従来のアナログ監視制御システムをCVI、TVI、AHD等にアップグレードすることはインストールと構築の面で困難な仕事ではない。何故なら、何らの変更も従来のアナログ監視制御システムに対して行なう必要がないからである。しかも、CVI、TVI、AHD等は同軸ケーブルを通信のために使用する環境に適用することができる。このようなアップグレード性に鑑みて、CVI、TVI、AHD等は広い市場での受け容れを獲得している。しかしながら、これらの高解像度技術は未だ互換性と機能性が不十分である。何故なら、CVIは同一の画像解像度を持つ異なるアナログインタフェースのための下位互換性がなく、またTVIはISP（イメージ・シグナル・プロセッサ）とTX（伝送）チップ両者を同時にサポートすることを欠落しているからである。一方、従来の監視制御技術において使用される信号伝送手段とシステム制御手段はケースバイケースによって異なっている。例えば、１本の同軸ケーブルを介し通信の場合、ビデオ信号及びパワー信号は１本の同軸ケーブルを介し伝送され、異なる伝送媒体での通信の場合、ビデオ信号、制御信号及びパワー信号は異なる伝送媒体で伝送される。
【０００４】
従来の監視制御技術で如何なる種類のビデオフォーマットが使用されるかに拘らず、その信号伝送及びシステム制御はカスタマイズに関する限り満足できるものではない。何故なら、既にインストールされている高解像度アナログ監視制御システムとの統合が必要とされる場合、構造上の不都合とコストの増加が生じ、信号伝送手段とシステム制御手段の統合がさらに必要とされる場合、構築時に高レベルの困難性と高額の財政支出が生じるからである。
【発明の概要】
【発明が解決しようとする課題】
【０００５】
本発明の目的は、１本の同軸ケーブルを介し４個の混合信号を伝送する監視制御システムを提供することであり、高解像度ビデオ信号、音声信号、制御信号及びパワー信号を搬送波信号に混合して１本のケーブルで同時伝送し、これによって構築を容易にし、システムのコストを削減するものである。
【課題を解決するための手段】
【０００６】
上記の目的を達成するために、１本の同軸ケーブルを介し４個の混合信号を伝送する監視制御システムは、第１の送受信ユニット、同軸ケーブル及び第２の送受信ユニットを含んでいる。
【０００７】
第１の送受信ユニットは、複数の第１の入力装置と複数の第１の出力装置に接続されている。
【０００８】
搬送波信号の伝送のための同軸ケーブルは当該同軸ケーブルを介して全二重モードで搬送波信号の伝送を行なうものであり、当該搬送波信号は当該搬送波信号上で異なる周波数帯域を占有する複数のデジタル信号及びパワー信号を含んでいる。搬送波信号は第１の送受信ユニットによって伝送される第１の搬送波信号及び第２の搬送波信号を有する。同軸ケーブルは第１の端末及び第２の端末を有する。第１の端末は第１の送受信ユニットに接続されている。
【０００９】
第２の送受信ユニットは同軸ケーブルの第２の端末、複数の第２の入力装置及び複数の第２の出力装置に接続され、デジタル信号及びパワー信号を第２の搬送波信号に選択的に混合する。
【００１０】
高解像度ビデオ信号、音声信号及び制御信号を含む第１の搬送波信号を受信するとき、第２の送受信ユニットは周波数逆多重化（周波数分離）への信号ダウンロードモードを実行し、第１の搬送波信号をデコード（復号化）して第１の搬送波信号における高解像度ビデオ信号、音声信号及び制御信号を取得し、さらに高解像度ビデオ信号、音声信号及び制御信号を対応する第２の出力装置に提供する。
【００１１】
音声信号、制御信号及びパワー信号を含む第２の搬送波信号を受信するとき、第１の送受信ユニットは最初にパワー信号を抽出し、次に第２の搬送波信号を周波数逆多重化し、デコード（復号化）して第２の搬送波信号における音声信号と制御信号を取得し、第２の搬送波信号における音声信号、制御信号及びパワー信号を対応する第１の出力装置に提供する。
【００１２】
上記の監視制御システムにおいて、第１の送受信ユニットはそれに接続された複数の第１の入力装置と複数の第１の出力装置を設けている。第１の入力装置からの高解像度ビデオ信号、音声信号及び制御信号を受信するとき、第１の送受信ユニットは高解像度ビデオ信号、音声信号及び制御信号を第１の搬送波信号に周波数多重化し、第１の搬送波信号を同軸ケーブルを介して第２の送受信ユニットに伝送する。同軸ケーブルの第１の端末から音声信号、制御信号及びパワー信号を含む第２の搬送波信号を受信するとき、第１の送受信ユニットは最初にパワー信号を抽出し、第２の搬送波信号から音声信号及び制御信号を周波数逆多重化し、音声信号及び制御信号を対応する第１の出力装置に提供し、パワー（電力）を第１の送受信ユニット及び第１の入力装置及び第１の出力装置に供給する。同軸ケーブルの第２の端末から第２の搬送波信号を受信するとき、第２の送受信ユニットは第２の搬送波信号から高解像度ビデオ信号、音声信号及び制御信号を周波数逆多重化し、高解像度ビデオ信号、音声信号及び制御信号を対応する第２の出力装置に提供する。第２の入力装置から音声信号、制御信号及びパワー信号を受信するとき、第２の送受信ユニットは音声信号及び制御信号を周波数多重化し、第パワー信号を投入して第２の搬送波信号を生成し、同軸ケーブルを介して第２の搬送波を第１の送受信ユニットに伝送する。したがって、第１の搬送波信号及び第２の搬送波信号の同時伝送が同じ同軸ケーブルを介して達成することができ、構造上の利便性を高め、監視制御システムの構築コストを削減する。
【発明の効果】
【００１３】
本発明の監視制御システムによれば、１本の同軸ケーブルを介し４個の混合信号を伝送する監視制御システムを提供することで、高解像度ビデオ信号、音声信号、制御信号及びパワー信号を搬送波信号に混合して１本のケーブルで同時伝送し、構築を容易にし、システムのコストを削減することができる。
【００１４】
本発明の他の目的、利点及び新規な特徴は、以下の詳細な説明から添付の図面と併せて一層明らかとなる。
【図面の簡単な説明】
【００１５】
【図１】本発明による１本の同軸ケーブルを介し４個の混合信号を伝送する監視制御システムのシステムアーキテクチャを示す機能ブロック図である。
【図２】図１における監視制御システムのシステムアーキテクチャを示す他の機能ブロック図である。
【図３】本発明による１本の同軸ケーブルを介し伝送される４個の混合信号のための信号強度及び周波数を示すグラフである。
【図４】図１における監視制御システムによって実行される信号の混合及びアップロードモードを示す動作機能ブロック図である。
【図５】図１における監視制御システムによって実行される信号内挿モードを示す動作機能ブロック図である。
【図６】図１における監視制御システムによって実行される他の信号合アップロードモードを示す動作機能ブロック図である。
【発明を実施するための形態】
【００１６】
次に、本発明にしたがう１本の同軸ケーブルを介し４個の混合信号を伝送する監視制御システムを好ましい実施例について図面を参照して詳述する。
【００１７】
図１を参照するに、本発明による１本の同軸ケーブルを介し４個の混合信号を伝送する監視制御システムは第１の送受信ユニット１０、同軸ケーブル２０及び第２の送受信ユニット３０を含んでいる。第１の送受信ユニット１０は複数の第１の入力装置１１及び複数の第１の出力装置１２に接続されている。第２の送受信ユニット３０は複数の第２の出力装置４０及び複数の第２の入力装置４１に接続されている。同軸ケーブル２０は同軸ケーブル２０を介して全二重モードで搬送波信号の伝送を行なうものであり、当該搬送波信号は当該搬送波信号上で異なる周波数帯域を占有する複数のデジタル信号及び／又はパワー信号を含んでいる。同軸ケーブルは第１の端末及び第２の端末を有している。同軸ケーブル２０の第１の端末は第１の送受信ユニット１０に接続され、同軸ケーブル２０の第２の端末は第２の送受信ユニット３０に接続されている。
【００１８】
圧縮された高解像度ビデオ信号、同軸ケーブル２０の第２の端末から第１の送受信ユニット１０によって周波数多重化された圧縮された高解像度ビデオ信号、圧縮された音声信号及び制御信号を含む第１の搬送波信号を受信するとき、第２の送受信ユニット３０は信号ダウンロードモードを実行し、第１の搬送波信号を周波数逆多重化し、第１の搬送波信号から圧縮された高解像度ビデオ信号、圧縮された音声信号及び制御信号を取得し、さらに当該圧縮された高解像度ビデオ信号及び圧縮された音声信号を伸長した後、高解像度ビデオ信号、音声信号及び制御信号を対応する第２の出力装置４０に提供する。
【００１９】
対応する第２の入力装置４１から音声信号、制御信号及びパワー信号を受信するとき、第２の送受信ユニット３０は信号アップロードモードを実行し、音声信号を圧縮し、音声信号及び制御信号を周波数多重化し、パワー信号を第２の搬送波信号内に投入し、さらに第２の搬送波信号を同軸ケーブル２０を介して第１の送受信ユニット１０に伝送する。さらに、第２の搬送波信号を受信した後、第１の送受信ユニット１０は最初に第２の搬送波信号からパワー信号を抽出し、次に第２の搬送波信号を周波数逆多重化し、圧縮された音声信号及び制御信号を取得し、次に圧縮された音声信号を伸張した後、音声信号及び制御信号を提供し、パワー（電力）を対応する第１の出力装置１２に供給する。
【００２０】
高解像度ビデオ信号、音声信号、制御信号及びパワー信号を周波数分割多重化及びパワー信号内挿によって１本の同軸ケーブルを介して同時伝送することで、全体の監視制御システムの高い構造的利便性及び低コスト化を図ることができる。
【００２１】
図２を参照するに、第１の送受信ユニット１０は同時に複数の第１の入力装置１１及び複数の第１の出力装置１２に接続することができ、第２の送受信ユニット３０は複数の第２の入力装置４１及び複数の第２の出力装置４０に接続することができる。第１の入力装置１１はカメラ、マイク等を含むことができる。第２の入力装置４１はマイク、シリアル通信インタフェース等を含むことができる。第１の出力装置１２又は第２の出力装置４０はサイレン、スピーカー、シリアル通信インタフェース、ディスプレイ及びビデオレコーダを選択的に含むことができる。本実施例において、同軸ケーブル２０は圧縮された高解像度ビデオ信号、圧縮された音声信号、制御信号及びパワー信号を含む第１の搬送波信号及び第２の搬送波信号のための複数のデジタル信号チャネルを有し、同軸ケーブル２０を介してアップロード方向及びダウンロード方向に同時伝送される。
【００２２】
第２の送受信ユニット３０は第１の接続ポート３１、第２の接続ポート３２、ＡＶ（音声・ビデオ）処理モジュール３３、マイクロコントローラユニット（MCU）３４及びパワーモジュール３５を含んでいる。第１の接続ポート３１は同軸ケーブル２０の第２の端末に接続されている。第２の接続ポート３２は第２の出力装置４０及び第２の入力装置４１に接続されている。ＡＶ処理モジュール３３は第１の接続ポート３１及び第２の接続ポート３２に接続されている。
【００２３】
パワーモジュール３５は第１の接続ポート３１及び第２の接続ポート３２に接続されてパワー信号を受信し、信号アップロードモードに応じてパワー信号を第２の搬送波信号に内挿し、動作パワー（電力）を第１の接続ポート３１及び同軸ケーブル２０を介して第１の送受信ユニット１０、第１の入力装置１１及び第１の出力装置１２に供給する。マイクロコントローラユニット（MCU）３４は第１の接続ポート３１、ＡＶ処理モジュール３３及び第２の接続ポート３２に接続され、第１の接続ポート３１及び第２の接続ポート３２から制御信号を受信し、制御信号を第２の送受信ユニット３０に含まれる対応するモジュールに伝送する。
【００２４】
本実施例において、さらに、ＡＶ処理モジュール３３はイコライザ３３１、ビデオデコーダ３３２、画像プロセッサ３３３及び音声デコーダ３３４を含んでいる。ビデオデコーダ３３２はイコライザ３３１、画像プロセッサ３３３及び音声デコーダ３３４に接続されている。イコライザ３３１は第１の接続ポート３１及びマイクロコントローラユニット（MCU）３４に接続されている。画像プロセッサ３３３及び音声デコーダ３３４は第２の接続ポート３２に接続されている。イコライザ３３１は第１の接続ポート３１から高解像度ビデオ信号及び音声信号を受信し、これらはビデオデコーダ３３２に伝送される。ビデオデコーダ３３２は圧縮された高解像度ビデオ信号をデコード（復号化）し、画像プロセッサ３３３のためのデジタルビデオ信号を取得し、デジタルビデオ信号を処理して高解像度ビデオ信号を第２の接続ポート３２に伝送する。音声デコーダ３３４はビデオデコーダ３３２から音声信号を受信し、音声信号を伸長し、音声信号を第２の接続ポート３２に伝送する。このため、高解像度ビデオ／音声信号は第２の接続ポート３２を介して対応する第２の出力装置４０にさらに伝送することができる。
【００２５】
高解像度ビデオ信号の伝送インタフェースは高解像度コンポジットビデオインタフェース（HDCVI）、高解像度伝送ビデオインタフェース（HDTVI）及びアナログ高解像度規格（AHD）を含むことができる。同軸ケーブル２０の信号インタフェースはEX-SDI（拡張シリアル・デジタル・インタフェース）を含むことができる。
【００２６】
本実施例において、制御信号はCoC（ケーブル制御）信号を含んでいる。周波数多重化された後、CoC信号は同軸ケーブル２０を介して対応する第１の入力装置１１にアップロードされる。パワー（電力）信号はPoC（ケーブルパワー）信号を含んでおり、パワー（電力）を同軸ケーブル２０を介して第１の送受信ユニット１０、第１の入力装置１１及び第１の出力装置１２に供給する。
【００２７】
図３を参照するに、信号ダウンロードモード及び信号アップロードモード中に第１の搬送波信号及び第２の搬送波信号に周波数多重化された信号の周波数及び信号強度を示す例について以下に説明する。この例において、横軸及び縦軸は第１の搬送波信号又は第２の搬送波信号の周波数及び信号強度をそれぞれ明示している。第１の搬送波信号はＳ４で表示され、信号ダウンロードモードでの圧縮された高解像度ビデオ信号、圧縮された音声信号及び制御信号の組み合わせを含んでいる。第２の搬送波信号は信号アップロードモードでの圧縮された音声信号Ｓ３、制御信号Ｓ２及びパワー信号Ｓ１の組合せによって表示される。第１の搬送波信号Ｓ４及び第２の搬送波信号の他のすべての信号Ｓ１、Ｓ２及びＳ３の信号強度はＡであり、パワー信号Ｓ１、制御信号Ｓ２、音声信号Ｓ３及び第１の搬送波信号Ｓ４の周波数はＦ１、Ｆ２、Ｆ３及びＦ４によってそれぞれ表示され、それぞれ０Ｈｚ、６００ＫＨｚ、２．８ＭＨｚ及び２７０ＭＨｚである。
【００２８】
図４を参照するに、第１の送受信ユニット１０は伝送端末、フィルタ１０１及び第１の出力ユニット１０２を有する。第１の送受信ユニット１０の伝送端末は同軸ケーブル２０の第１の端末に接続されている。フィルタ１０１の入力端子は第１の送受信ユニット１０の伝送端末に接続されている。フィルタ１０１の出力端子は第１の出力ユニット１０２に接続されている。第２の送受信ユニット３０は受信端末、変調ユニット３０１及び第１の入力ユニット３０２を有する。第２の送受信ユニット３０の受信端末は同軸ケーブル２０の第２の端末に接続されている。変調ユニット３０１の入力端子は第１の入力ユニット３０２に接続されている。変調ユニット３０１の出力端子は第２の送受信ユニット３０の受信端末に接続されている。上述の信号アップロードモードにおいて第１の入力ユニット３０２は制御信号又はデジタル音声信号を変調ユニット３０１に伝送し、変調ユニット３０１で制御信号又はデジタル音声信号を第２の搬送波信号に印加し、これは第１の送受信ユニット１０にアップロードされる。本実施例において、第１の入力ユニット３０２は、Pelco D/Pプロトコルに準拠したジェネレータ又は音声アンプであり、第１の出力ユニット１０２はPelco D/Pプロトコルに準拠したドライバ又は音声復調器である。
【００２９】
図５を参照するに、上記の信号ダウンロードモードの実行のために、第１の送受信ユニット１０は第２の入力ユニット１０３及び伝送端末を有し、第２の送受信ユニット３０は第２の出力ユニット３０３及び受信端末を有する。第２の入力ユニット１０３は第１の送受信ユニット１０の伝送端末に接続されている。第２の出力ユニット３０３は第２の送受信ユニット３０の受信端末に接続されている。第２の入力ユニット１０３は高解像度ビデオ信号、音声信号及び制御信号を変調することを行なうもので、高解像度ビデオ信号、音声信号及び制御信号を第１の搬送波信号に印加して、第１の搬送波信号を伝送端末に送信し、さらに同軸ケーブル２０を介して第２の送受信ユニット３０の第２の出力ユニット３０３に伝送する。本実施例において、第２の入力ユニット１０３はデジタル信号ジェネレータ又はアナログ・デジタルコンバータ（ADC）エンコーダであり、第２の出力ユニット３０３はPelco D/Pプロトコルに準拠したドライバ又はデジタル・アナログコンバータ（DAC）デコーダである。
【００３０】
第１の入力装置１１及び第２の入力装置４１によって伝送されるパワー（電力）信号はDC（直流）電力の形態をとる。パワー信号が信号アップロードモードで第２の搬送波信号に内挿されるとき、図６を参照するに、信号アップロードモードについて図示は図４と同じである。但し、相違する点は、図４における変調ユニット３０１、フィルタ１０１、第１の入力ユニット３０２及び第１の出力ユニット１０２は図６における第１のローパスフィルタ３０４、第２のローパスフィルタ１０４、電圧レギュレータ３０５及びコンバータ１０５によってそれぞれ置き換えられる。
【００３１】
以上の説明に鑑みて、本発明による監視制御システムはビデオ信号、制御信号、音声信号及びパワー信号を１本の同軸ケーブルを介し異なる周波数帯域上に位置する全ての信号をもつ搬送波信号の伝送によって全二重・同時伝送方式で伝送する。第１の送受信ユニット１０、第１の入力装置１１、第１の出力装置１２、第２の送受信ユニット３０、第２の入力ユニット４１及び第２の出力ユニット４０で使用可能なフィルタは、異なる周波数での信号を抽出するものであって、信号取得時に無干渉にすることを保証する。
【００３２】
本発明の多くの特徴及び利点が前述の説明で本発明の構造及び機能の詳細とともに記載されているにもかかわらず、その開示は例示のみであり、変更は特に部品の形状、寸法、配置の事項で詳細に行なうことができ、これは用語の広い一般的な意味によって示される本発明の原理内で全範囲に亘り可能であって、添付の特許請求の範囲で表現される。
【符号の説明】
【００３３】
１０・・・第１の送受信ユニット
１１・・・第１の入力装置
１２・・・第１の出力装置
２０・・・同軸ケーブル
３０・・・第２の送受信ユニット
３１・・・第１の接続ポート
３２・・・第２の接続ポート
３３・・・ＡＶ処理モジュール
３４・・・マイクロコントローラユニット
３５・・・パワーモジュール
４０・・・第２の出力装置
４１・・・第２の入力装置
１０１・・・フィルタ
１０２・・・第１の出力ユニット
１０３・・・第２の入力ユニット
１０４・・・第２のローパスフィルタ
１０５・・・コンバータ
３０１・・・変調ユニット
３０２・・・第１の入力ユニット
３０３・・・第２の出力ユニット
３０４・・・第１のローパスフィルタ
３０５・・・電圧レギュレータ
３３１・・・イコライザ
３３２・・・ビデオデコーダ
３３３・・・画像プロセッサ
３３４・・・音声デコーダ
Ｓ４・・・第１の搬送波信号
第２の搬送波信号（Ｓ３・・・音声信号、Ｓ２・・・制御信号、Ｓ１・・・パワー信号）
Ａ・・・信号強度
Ｆ１、Ｆ２、Ｆ３、Ｆ４・・・周波数
【図１】
2018088653.tif 000003
【図２】
2018088653.tif 000004
【図３】
2018088653.tif 000005
【図４】
2018088653.tif 000006
【図５】
2018088653.tif 000007
【図６】
2018088653.tif 000008
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
１本の同軸ケーブルを介し４個の混合信号を伝送する監視制御システムであって、
複数の第１の入力装置及び複数の第１の出力装置に接続される第１の送受信ユニットと、
同軸ケーブルを介し全二重モードで搬送波信号上に異なる周波数帯域を占有する複数のデジタル信号及びパワー信号を含む当該搬送波信号を伝送する当該同軸ケーブルとを備え、前記搬送波信号は前記第１の送受信ユニットによって伝送される第１の搬送波信号及び第２の搬送波信号を含んでおり、前記同軸ケーブルは、
前記第１の送受信ユニットに接続される第１の端末と、
第２の端末とを有し、
前記同軸ケーブルの前記第２の端末、複数の第２の入力装置及び複数の第２の出力装置に接続されて選択的に前記デジタル信号を周波数多重化し、前記パワー信号を前記第２の搬送波信号に投入する第２の送受信ユニットを備え、
前記第１の送受信ユニットにより周波数多重化される高解像度ビデオ信号、音声信号及び制御信号を含む前記第１の搬送波信号を受信するとき、前記第２の送受信ユニットは信号ダウンロードを行なって前記第１の搬送波信号における前記高解像度ビデオ信号、前記音声信号及び前記制御信号を周波数逆多重化し、デコードし、前記高解像度ビデオ信号、前記音声信号及び前記制御信号を対応する第２の出力装置に提供し、
音声信号、制御信号及びパワー信号を含む前記第２の搬送波信号を受信するとき、前記第１の送受信ユニットは最初にパワー信号を抽出し、次に前記第２の搬送波信号を周波数逆多重化し、デコードし、前記第２の搬送波信号における前記音声信号及び前記制御信号を取得し、前記第２の搬送波信号における前記音声信号、前記制御信号及び前記パワー信号を対応する第１の出力装置に提供することを特徴とする監視制御システム。
【請求項２】
対応する第２の入力装置から音声信号、制御信号及びパワー信号を受信するとき、前記第２の送受信ユニットは信号アップロードモードを実行し、前記音声信号及び前記制御信号を周波数多重化し、前記パワー信号を前記第２の搬送波信号内に投入し、前記第２の搬送波信号を前記同軸ケーブルを介して前記第１の送受信ユニットに伝送し、
前記第２の搬送波信号を受信した後、前記第１の送受信ユニットは最初に前記第２の搬送波から前記パワー信号を抽出し、次に前記第２の搬送波信号を周波数逆多重化し、前記音声信号及び前記制御信号を取得し、次に対応する第１の出力装置に前記音声信号及び前記制御信号を提供し、電力を供給することを特徴とする請求項１記載の監視制御システム。
【請求項３】
前記第２の送受信ユニットは、
前記同軸ケーブルの前記第２の端末に接続される第１の接続ポートと、
前記第２の出力装置及び前記第２の入力装置に接続される第２の接続ポートと、
前記第１の接続ポート及び前記第２の接続ポートに接続されるＡＶ（音声・ビデオ）処理モジュールと、
前記第１の接続ポート、前記ＡＶ処理モジュール及び第２の接続ポートに接続され、前記信号ダウンロードモード及び前記信号アップロードモードを実行するマイクロコントローラユニット（ＭＣＵ）と、
前記第１の接続ポート及び前記第２の接続ポートに接続されるパワーモジュールとを有することを特徴とする請求項２記載の監視制御システム。
【請求項４】
前記ＡＶ処理モジュールは、
前記第１の接続ポート及び前記ＭＣＵに接続されるイコライザと、
前記第２の接続ポートに接続される画像プロセッサ及び音声デコーダと、
前記イコライザ、画像プロセッサ及び前記音声デコーダに接続されるビデオデコーダとを有することを特徴とする請求項３記載の監視制御システム。
【請求項５】
前記第１の送受信ユニットは、
前記同軸ケーブルの前記第１の端末に接続される伝送端末と、
第１の出力ユニットと、
フィルタとを有し、前記フィルタは、
前記第１の送受信ユニットの前記伝送端末に接続される入力端子と、
前記第１の出力ユニットに接続される前記フィルタの出力端子とを有し、
前記第２の送受信ユニットは、
前記同軸ケーブルの前記第２の端末に接続される受信端末と、
第１の入力ユニットと、
前記信号アップロードモードを実行し、前記第２の搬送波信号を前記音声信号、前記制御信号及び前記パワー信号で変調し、前記第２の搬送波信号を前記同軸ケーブルを介して前記第１の送受信ユニットに伝送する変調ユニットとを有し、前記変調ユニットは、
前記第１の入力ユニットに接続される入力端子と、
前記第２の送受信ユニットの前記受信端末に接続される前記変調ユニットの出力端子とを有することを特徴とする請求項１記載の監視制御システム。
【請求項６】
前記第１の入力ユニットはＰｅｌｃｏ  Ｄ／Ｐプロトコルに準拠したジェネレータ及び音声増幅器の１つであり、前記第１の出力ユニットはＰｅｌｃｏ  Ｄ／Ｐプロトコルに準拠したドライバ及び音声復調器の１つであることを特徴とする請求項５記載の監視制御システム。
【請求項７】
前記変調ユニットは第１のローパスフィルタであり、前記フィルタは第２のローパスフィルタであり、前記第１の入力ユニットは電圧レギュレータであり、前記第１の出力ユニットはコンバータであることを特徴とする請求項６記載の監視制御システム。
【請求項８】
前記第１の送受信ユニットは、
デジタル信号ジェネレータ及びアナログ・デジタルコンバータ（ＡＤＣ）エンコーダの１つである第２の入力ユニットと、
伝送端末とを有し、
前記第２の送受信ユニットは、
前記第１の送受信ユニットの前記伝送端末に接続され、前記高解像度ビデオ信号、前記音声信号及び前記制御信号を変調し、前記高解像度ビデオ信号、前記音声信号及び前記制御信号を前記第１の搬送波に印加し、Ｐｅｌｃｏ  Ｄ／Ｐプロトコルに準拠したドライバ及びデジタル・アナログコンバータ（ＤＡＣ）デコーダの１つである第２の出力ユニットと、
前記第２の出力ユニットに接続される受信端末とを有することを特徴とする請求項１記載の監視制御システム。
【請求項９】
前記高解像度ビデオ信号のための伝送インタフェースは高解像度コンポジットビデオインタフェース（ＨＤＣＶＩ）、高解像度伝送ビデオインタフェース（ＨＤＴＶＩ）及びアナログ高解像度規格（ＡＨＤ）を含んでおり、前記同軸ケーブルの信号インタフェースはＥＸ−ＳＤＩ（拡張シリアル・デジタル・インタフェース）を含んでおり、前記制御信号はＣｏＣ（ケーブル制御）信号を含んでおり、前記パワー信号はＰｏＣ（ケーブルパワー）を含んでいることを特徴とする請求項１記載の監視制御システム。
【請求項１０】
前記高解像度ビデオ信号のための伝送インタフェースはＨＤＣＶＩ、ＨＤＴＶＩ及びＡＨＤを含んでおり、前記同軸ケーブルの信号インタフェースはＥＸ−ＳＤＩを含んでおり、前記制御信号はＣｏＣ信号を含んでおり、前記パワー信号はＰｏＣ信号を含んでいることを特徴とする請求項１乃至請求項９何れか１項記載の監視制御システム。